(57)【要約】【課題】明るい使用環境のみならず暗い使用環境でも手軽に模様の変化を楽しめる万華鏡を提供する。【解決手段】外筒２内に二等辺三角筒状の鏡筒３を組み込み、鏡筒３の一方の開放端に覗き窓３ａを形成する。鏡筒３の他方の開放端に両端閉塞円筒状の透明な観察片保持体５を縦向きに取り付け、観察片保持体５内にミネラルオイルなど所定の粘性をもつ液体９を充填する。液体９にスパンコールなど各種の観察片１０を多数個混入し、外筒２に照明装置１２を観察片保持体５の側面に向けて投光しうる形で一体に取り付ける。これにより、観察片１０が照明装置１２に照らされて光量不足が補われつつ、観察片保持体の正面から光が入射することに起因する幻惑が回避され、観察片１０を見ている間は片方の手で外筒２を把持するだけで済む。照明装置１２を外筒２に沿って格納しうるようにすれば、照明装置１２が邪魔にならず、万華鏡１の使い勝手が向上する。【選択図】      図１
2004246246.tif 000002
【特許請求の範囲】
【請求項１】
外筒（２）内に鏡筒（３）を組み込み、
この鏡筒の一方の開放端に覗き窓（３ａ）を形成し、
前記鏡筒の他方の開放端に透明な観察片保持体（５）を設け、
この観察片保持体内に液体（９）を充填し、
この液体に観察片（１０）を混入した万華鏡（１）において、
前記外筒に照明装置（１２）を前記観察片保持体の側面に向けて投光しうる形で一体に取り付けたことを特徴とする万華鏡。
【請求項２】
前記照明装置（１２）を前記外筒（２）に沿って格納しうるようにしたことを特徴とする請求項１に記載の万華鏡。
【請求項３】
前記観察片（１０）として金属片を含ませたことを特徴とする請求項１または請求項２に記載の万華鏡。
【発明の詳細な説明】
【０００１】
【発明の属する技術分野】
本発明は、周囲の明るさを問わずに模様の変化を手軽に楽しめる万華鏡に関するものである。
【０００２】
【従来の技術】
従来、夜間や暗室など暗い使用環境で万華鏡を楽しむときには、液体と観察片が入った透明な観察片保持体をペンライトその他の懐中電灯で照らして観察片の光量不足を補っていた。
【０００３】
【発明が解決しようとする課題】
しかし、これでは、片方の手で万華鏡を把持し、もう片方の手で懐中電灯を持たなければならず、観察片を見ている間はずっと両手が塞がってしまうため、万華鏡が作り出す模様の変化を手軽に楽しむことができないという不都合があった。
【０００４】
本発明は、このような事情に鑑み、明るい使用環境のみならず暗い使用環境でも手軽に模様の変化を楽しむことが可能な万華鏡を提供することを目的とする。
【０００５】
【課題を解決するための手段】
まず、本発明のうち請求項１に係る発明は、外筒（２）内に鏡筒（３）を組み込み、この鏡筒の一方の開放端に覗き窓（３ａ）を形成し、前記鏡筒の他方の開放端に透明な観察片保持体（５）を設け、この観察片保持体内に液体（９）を充填し、この液体に観察片（１０）を混入した万華鏡（１）において、前記外筒に照明装置（１２）を前記観察片保持体の側面に向けて投光しうる形で一体に取り付けて構成される。こうした構成を採用することにより、観察片が照明装置からの光で照らされて光量不足が補われつつ、観察片保持体の正面から光が入射することに起因する幻惑が回避され、さらに観察片を見ている間は片方の手で外筒を把持するだけで済むように作用する。
【０００６】
また、本発明のうち請求項２に係る発明は、前記照明装置（１２）を前記外筒（２）に沿って格納しうるようにして構成される。かかる構成により、照明装置が付設されているからといって邪魔になることがなくなるように作用する。
【０００７】
さらに、本発明のうち請求項３に係る発明は、前記観察片（１０）として金属片を含ませて構成される。かかる構成により、金属片が光を受けてきらきら輝くように作用する。
【０００８】
なお、括弧内の符号は図面において対応する要素を表す便宜的なものであり、したがって、本発明は図面上の記載に限定拘束されるものではない。このことは「特許請求の範囲」の欄についても同様である。
【０００９】
【発明の実施の形態】
以下、本発明の実施形態を図面に基づいて説明する。
図１は本発明に係る万華鏡の一実施形態を示す斜視図、
図２は図１に示す万華鏡の側面図、
図３は図１に示す万華鏡の平面図である。
【００１０】
この万華鏡１は、図１に示すように、四角筒状に形成された木製の外筒２を有しており、外筒２内には二等辺三角筒状の鏡筒３が組み込まれている。この鏡筒３は、３枚の鏡板をその鏡面が内側に向くように二等辺三角筒状に組み合わせたものであり、その一方の開放端には覗き窓３ａが形成されている。また、鏡筒３の他方の開放端には、図２に示すように、アクリル樹脂などの合成樹脂からなる両端閉塞円筒状の透明な観察片保持体５が２個のＵ形金具６、６で外筒２に縦向きに取り付けられており、観察片保持体５の外周には２個のＯリング７、７が各Ｕ形金具６、６の外側に当接して嵌着されている。そして、この観察片保持体５は、その内部空間が二重螺旋構造で二分されており、それぞれの空間にはミネラルオイル（鉱油）や水など所定の粘性をもつ液体９が充填されており、各液体９にはスパンコール、色ガラス、金属片、色砂など各種の観察片１０が多数個混入されている。
【００１１】
ところで、外筒２の側面には、図３に示すように、照明装置１２が蝶番１３を介して矢印Ｍ、Ｎ方向に開閉しうる形で一体に取り付けられており、この照明装置１２は、直方体状に形成された木製の本体１６を有している。本体１６には電球１７および乾電池１８が埋設されており、スイッチ１９を押すたびに電球１７が点灯と消灯を繰り返すように電気回路が構成されている。そして、この照明装置１２は磁力によって外筒２の側面に沿って格納することができる。すなわち、外筒２の側面には永久磁石１５が埋設されているとともに、照明装置１２の側面には磁性金属板２０がビス止めされている。したがって、照明装置１２を矢印Ｎ方向に閉じると、図３に想像線で示すように、磁性金属板２０が永久磁石１５に磁着するため、図１に示すように、照明装置１２が外筒２の側面に沿って格納された状態となる。逆に、照明装置１２を矢印Ｍ方向に開くと、図３に実線で示すように、照明装置１２がＵ形金具６、６に当接して所定角度で止まり、電球１７が観察片保持体５の側面に対向した状態となる。
【００１２】
万華鏡１は以上のような構成を有するので、夜間や暗室など暗い使用環境で万華鏡１を楽しむ際には、まず外筒２を片手で把持し、照明装置１２を矢印Ｍ方向に開いて電球１７を観察片保持体５の側面に対向させる。この状態で、スイッチ１９を押して電球１７を観察片保持体５の側面に向けて投光した後、万華鏡１全体を上下反転させて観察片保持体５内の各種の観察片１０を液体９中でゆっくりと遊動させ、鏡筒３の覗き窓３ａから観察片保持体５を覗く。すると、観察片保持体５の内部空間は二重螺旋構造で二分されているため、それぞれの空間にある各種の観察片１０が互いに混ざり合うことなく別個に複雑な動きを見せ、これらの観察片１０が鏡筒３に反射して幻想的な模様を呈する。
【００１３】
このとき、観察片１０は照明装置１２の電球１７からの光で照らされて光量不足が補われるので、特に金属片などの観察片１０が光を受けてきらきら輝き、暗い使用環境でも十分に幻想的な模様の変化を楽しむことが可能となる。しかも、この電球１７の光は観察片保持体５の側面から入射するので、観察片保持体５の正面から光が入射する場合と異なり、電球１７の光が眩しくて観察片１０がよく見えない事態が起きることはない。また、観察片１０を見ている間は片方の手で外筒２を把持するだけで済み、もう片方の手は自由なので、万華鏡１が作り出す模様の変化を手軽に楽しむことができる。なお、観察片保持体５の外周には２個のＯリング７、７が各Ｕ形金具６、６の外側に当接して嵌着されているので、万華鏡１を上下反転させても観察片保持体５が抜け落ちる心配はない。
【００１４】
また、昼間など明るい使用環境で万華鏡１を楽しむ際には、観察片保持体５内の観察片１０を照らす必要がないので、照明装置１２を閉じたまま鏡筒３の覗き窓３ａから観察片保持体５を覗けばよい。このとき、照明装置１２は外筒２の側面に沿って格納されているため、照明装置１２が付設されているからといって邪魔になることはなく、万華鏡１の使い勝手が良好となる。
【００１５】
なお、上述の実施形態においては、木製の外筒２および照明装置１２の本体１６をそのまま使用した場合について説明したが、これら外筒２、本体１６にステンドグラスその他の装飾部品（図示せず）を付設して装飾性を高めることも可能である。
【００１６】
また、上述の実施形態では、外筒２内に二等辺三角筒状の鏡筒３を組み込んだ場合について説明したが、鏡筒３の形状はこれに限るわけではなく、正三角形筒状や菱形筒状の鏡筒３を採用した万華鏡１に本発明を同様に適用することもできる。
【００１７】
さらに、上述の実施形態では、四角筒状の外筒２に両端閉塞円筒状の観察片保持体５を縦向きに取り付けた場合について説明したが、外筒２や観察片保持体５の形状はこれらに限るわけではない。例えば、円筒状の外筒２に太鼓状の観察片保持体５を同心状に結合し、外筒２をゆっくり回しながら覗くタイプの万華鏡１に本発明を同様に適用することも可能である。
【００１８】
【発明の効果】
以上説明したように、本発明のうち請求項１に係る発明によれば、観察片が照明装置からの光で照らされて光量不足が補われつつ、観察片保持体の正面から光が入射することに起因する幻惑が回避され、さらに観察片を見ている間は片方の手で外筒を把持するだけで済むことから、明るい使用環境のみならず暗い使用環境でも手軽に模様の変化を楽しむことが可能な万華鏡を提供することができる。
【００１９】
また、本発明のうち請求項２に係る発明によれば、照明装置が付設されているからといって邪魔になることがなくなるので、万華鏡の使い勝手を向上させることができる。
【００２０】
さらに、本発明のうち請求項３に係る発明によれば、金属片が光を受けてきらきら輝くため、万華鏡が作り出す模様の変化をますます幻想的なものとすることができる。
【図面の簡単な説明】
【図１】本発明に係る万華鏡の一実施形態を示す斜視図である。
【図２】図１に示す万華鏡の側面図である。
【図３】図１に示す万華鏡の平面図である。
【符号の説明】
１……万華鏡
２……外筒
３……鏡筒
３ａ……覗き窓
５……観察片保持体
９……液体
１０……観察片
１２……照明装置
【図１】
2004246246.tif 000003
【図２】
2004246246.tif 000004
【図３】
2004246246.tif 000005